(57)【特許請求の範囲】
【請求項１】
緯糸を緯入れするための緯糸案内通路から緯糸捕捉通路の導入口へストレッチノズルのエア噴射により緯糸の先端部を導入してエア流により捕捉し、前記緯糸案内通路に対して前記緯糸捕捉通路を不動配置したジェットルームにおける緯糸張力付与装置において、
前記緯糸捕捉通路の横断面の面積を少なくとも２つの大きさにし、小さい面積の横断面より前記緯糸捕捉通路の前記緯糸の先端部が導入される導入口よりも下流側に大きい面積の横断面を配置し、前記緯糸捕捉通路の末端を開放し、前記緯糸捕捉通路は途中で屈曲しており、前記導入口から屈曲部分までの横断面を前記小さい面積の横断面とすると共に、この屈曲部分よりも下流側に前記小さい面積の横断面及び大きい面積の横断面を配置したジェットルームにおける緯糸張力付与装置。
【請求項２】
前記緯糸捕捉通路の開放末端を筬打ち運動方向に直交する方向に向けた請求項１に記載のジェットルームにおける緯糸張力付与装置。
【請求項３】
前記緯糸捕捉通路の長さ方向の少なくとも一部は、下流側に向かうにつれて横断面積が徐々に増大する形状である請求項１及び請求項２のいずれか１項に記載のジェットルームにおける緯糸張力付与装置。
【請求項４】
前記屈曲部分よりも下流側における緯糸捕捉通路の通路中心は、前記屈曲部分よりも上流側における緯糸捕捉通路の通路中心に対して鋭角に交差している請求項１乃至請求項３のいずれか１項に記載のジェットルームにおける緯糸張力付与装置。
【請求項５】
前記緯糸捕捉通路は緯糸捕捉パイプによって形成されている請求項１乃至請求項４のいずれか１項に記載のジェットルームにおける緯糸張力付与装置。
【請求項６】
内径の異なる複数の緯糸捕捉パイプを嵌合連結して緯糸捕捉通路を形成した請求項５に記載のジェットルームにおける緯糸張力付与装置。
【請求項７】
前記内径の異なる複数の緯糸捕捉パイプの嵌合連結位置を変更する嵌合連結位置変更手段を備えている請求項６に記載のジェットルームにおける緯糸張力付与装置。
【請求項８】
前記内径の異なる複数の緯糸捕捉パイプの上流側の緯糸捕捉パイプに対する下流側の緯糸捕捉パイプの取り付け向きを変更する取り付け向き変更手段を備えている請求項６に記載のジェットルームにおける緯糸張力付与装置。
【発明の詳細な説明】
【０００１】
【発明の属する技術分野】
本発明は、緯糸捕捉通路内へ緯糸を導入してエア流により捕捉するジェットルームにおける緯糸張力付与装置に関するものである。
【０００２】
【従来の技術】
品質の良い織布を製織するためには、筬打ち時に緯入れされた緯糸に適度な張力を付与することが必要である。筬打ち時の緯糸に張力を付与するため、例えば実開昭６３−８９９８８号公報では、織機のスレイ上の緯入れ末端側に緯糸張力付与装置が設けられている。この装置では、ノズルから緯糸捕捉パイプ内ヘエアを吹き込み、緯糸案内通路を飛走してきた緯糸の先端部を緯糸捕捉パイプ内へ屈曲導入して緯糸に張力を付与するようになっている。
【０００３】
【発明が解決しようとする課題】
緯糸の張力はエア流の引取作用及び屈曲抵抗によって付与される。緯糸に対する安定した張力の付与は高い品質の織布を得る上で必要である。しかし、エア流の引取作用、屈曲抵抗による張力付与ではエア流量を多くしたり、或いは緯糸先端部の被把持部位を長くする必要がある。しかし、エア流量の増大はエア消費量の増大をもたらす。緯糸先端部の被把持部位の増長は捨耳の増幅をもたらし、緯糸の浪費につながる。
【０００４】
本発明は、エア及び緯糸の消費量の少ないジェットルームにおける緯糸張力付与装置を提供することを目的とする。
【０００５】
【課題を解決するための手段】
そのために請求項１の発明では、緯糸を緯入れするための緯糸案内通路から緯糸捕捉通路の導入口へストレッチノズルのエア噴射により緯糸の先端部を導入してエア流により捕捉し、前記緯糸案内通路に対して前記緯糸捕捉通路を不動配置したジェットルームにおける緯糸張力付与装置において、緯糸捕捉通路の横断面の面積を少なくとも２つの大きさにし、小さい面積の横断面より前記緯糸捕捉通路の前記緯糸の先端部が導入される導入口よりも下流側に大きい面積の横断面を配置し、前記緯糸捕捉通路の末端を開放し、前記緯糸捕捉通路は途中で屈曲しており、前記導入口から屈曲部分までの横断面を前記小さい面積の横断面とすると共に、この屈曲部分よりも下流側に前記小さい面積の横断面及び大きい面積の横断面を配置した。
【０００６】
緯糸捕捉通路の横断面積は上流側から下流側へ向かう途中で増大する。このような横断面積の増大は、緯糸捕捉通路の横断面積が全て緯糸捕捉通路の緯糸の先端部が導入される導入口の横断面積と同じの場合よりも通路抵抗を低減し、緯糸捕捉通路内への緯糸の導入が確実となる。屈曲部分は通路抵抗の増大をもたらすが、この下流における緯糸捕捉通路の横断面積増大が通路抵抗を低減する。又、屈曲部分は緯糸張力付与時の付与張力を高める。
【０００７】
請求項２の発明では、前記緯糸捕捉通路の開放末端を筬打ち運動方向に直交する方向に向けた。
前記開放末端は筬打ち運動に連動して揺動するが、緯糸捕捉通路の周囲の大気を開放末端から緯糸捕捉通路内へ押し込む作用は生じない。従って、緯糸捕捉通路の揺動運動が緯糸捕捉通路内の通路抵抗の増大をもたらすことはない。
【０００８】
請求項３の発明では、前記緯糸捕捉通路の長さ方向の少なくとも一部は、下流側に向かうにつれて横断面積が徐々に増大する形状とした。
横断面積が徐々に増大する形状は、通路抵抗の低減のうえで好適である。
【００１０】
請求項４の発明では、緯糸捕捉通路の途中を屈曲させ、この屈曲部分よりも下流側における緯糸捕捉通路の通路中心は、前記屈曲部分よりも上流側における緯糸捕捉通路の通路中心に対して鋭角に交差させた。
【００１１】
前記屈曲部分よりも下流側における緯糸捕捉通路と上流側における緯糸捕捉通路とが鋭角に交差する形状は、緯糸張力付与時の付与張力を高める上で好適である。
【００１２】
請求項５の発明では、前記緯糸捕捉通路を緯糸捕捉パイプによって形成した。
緯糸捕捉パイプは緯糸捕捉通路の形成に最適である。
請求項６の発明では、内径の異なる複数の緯糸捕捉パイプを嵌合連結して請求項５の緯糸捕捉通路を形成した。
【００１３】
内径の大きい方の緯糸捕捉パイプが内径の小さい方の緯糸捕捉パイプの下流側に配置され、これら緯糸捕捉パイプの接続部位で緯糸捕捉通路の横断面積が変化する。
【００１４】
請求項７の発明では、前記内径の異なる複数の緯糸捕捉パイプの嵌合連結位置を変更する嵌合連結位置変更手段を備えた緯糸張力付与装置を構成した。
嵌合連結位置の変更は緯糸捕捉通路の長さの変更をもたらす。緯糸捕捉通路の長さの変更は、緯糸種類、緯入れ用エアの噴射圧等に応じた適正な張力付与設定を可能にする。
【００１５】
請求項８の発明では、前記内径の異なる複数の緯糸捕捉パイプの上流側の緯糸捕捉パイプに対する下流側の緯糸捕捉パイプの取り付け向きを変更する取り付け向き変更手段を備えた緯糸張力装置を構成した。
【００１６】
前記取り付け向きの変更は緯糸捕捉通路の通路形状の変更をもたらす。緯糸捕捉通路の通路形状の変更は、緯糸種類、緯入れ用エアの噴射圧等に応じた適正な張力付与設定を可能にする。
【００１７】
【発明の実施の形態】
以下、本発明を具体化した第１の実施の形態を図１〜図３に基づいて説明する。
【００１８】
図１に示すようにスレイ１１上には変形筬１２及び補助変形筬１３が立設固定されている。変形筬１２は織布Ｗの形成用であり、補助変形筬１３は捨耳Ｗｅの形成用である。図示しない緯入れ用メインノズルから射出された緯糸Ｙは、緯入れ用補助ノズル１０の噴射作用によって変形筬１２前面の緯糸案内通路１２１内を飛走する。変形筬１２と補助変形筬１３との間には緯糸検出器１４が立設固定されている。緯糸検出器１４は緯糸Ｙの到達有無を検出する。
【００１９】
補助変形筬１３の隣には緯糸捕捉ブロック１５が立設されている。緯糸捕捉ブロック１５の前面には緯糸導入凹部１５１が形成されている。緯糸導入凹部１５１は緯糸案内通路１２１の延長線上にあり、緯糸導入凹部１５１は緯糸案内通路の一部となる。図２に示すように緯糸捕捉ブロック１５内にはストレッチノズル１６が緯糸導入凹部１５１の下壁面に開口するように形成されている。ストレッチノズル１６は図示しない圧縮エア供給源に接続されている。
【００２０】
緯糸捕捉ブロック１５には緯糸捕捉パイプ１７が緯糸案内通路１２１と直交する方向に挿通されている。緯糸捕捉パイプ１７の導入口１７１は緯糸導入凹部１５１の上壁面を貫通して開口している。緯糸捕捉パイプ１７は緯糸捕捉ブロック１５に螺合されたねじ１８によって緯糸捕捉ブロック１５に締め付け固定される。緯糸捕捉パイプ１７は変形筬１２の立設方向に延びてから緯糸案内通路１２１の方向へ折曲する形状にしてあり、緯糸捕捉パイプ１７の開放末端である末端開口１７２が緯糸案内通路１２１の方向、即ち変形筬１２の筬打ち運動方向と直交する方向に開放している。
【００２１】
図２及び図３に示すように、導入口１７１とストレッチノズル１６とは対向している。ストレッチノズル１６からの噴射エアは緯糸捕捉パイプ１７の導入口１７１に向けて噴射する。ストレッチノズル１６の噴射は、緯糸Ｙの先端部が緯糸導入凹部１５１に到達する前に開始され、筬打ち直前に停止する。緯糸Ｙの先端部が緯糸導入凹部１５１に到達するのは、変形筬１２の筬打ち前進の開始後であり、変形筬１２と一体的に動くストレッチノズル１６の噴射作用は、ストレッチノズル１６の前進動作中のほぼ全体にわたって行われる。緯糸導入凹部１５１に到達した緯糸Ｙの先端部は、ストレッチノズル１６からのエア流によって緯糸捕捉パイプ１７内へ吹き入れられる。緯糸捕捉パイプ１７内へ吹き入れられた緯糸Ｙは、ストレッチノズル１６からのエア流の引き取り作用によって張力を付与される。
【００２２】
図３に示すように、緯糸捕捉パイプ１７の屈曲部１７３よりも下流では、緯糸捕捉パイプ１７の内径が上流側から下流側に向かうにつれて徐々に拡径するようにしてある。即ち、緯糸捕捉パイプ１７内の緯糸捕捉通路１９の長さ方向の少なくとも一部は、下流側に向かうにつれて横断面積が徐々に増大する形状である。
【００２３】
第１の実施の形態では以下の効果が得られる。
（１-1）緯糸捕捉通路１９の横断面積は上流側から下流側へ向かう途中で増大する。このような横断面積の増大は、緯糸捕捉通路１９の横断面積が全て緯糸捕捉通路１９の導入口１７１の横断面積と同じの場合よりも通路抵抗を低減する。緯糸捕捉通路１９における通路抵抗の低減は、ストレッチノズル１６から導入口１７１に向けて吹き込まれるエア及び緯糸案内通路１２１を流れてくるエアの緯糸捕捉通路１９への流入を容易にする。従って、緯糸Ｙの先端部が緯糸捕捉パイプ１７内へ円滑に導入される。
（１-2）ストレッチノズル１６からのエア噴射は、変形筬１２が最後退位置にあるタイミングの前後にわたる。そのため、末端開口１７２が筬打ち運動方向と直交する方向と異なる方向を向いていると、ストレッチノズル１６からのエア噴射時に変形筬１２が前進または後退すると大気が末端開口１７２から緯糸捕捉パイプ１７内へ流入しようとする作用が生じる。この作用は緯糸捕捉通路１９内の通路抵抗として働く。本実施の形態では、開放末端である末端開口１７２は筬打ち運動に連動して揺動するが、末端開口１７２は筬打ち運動方向と直交する方向を向いている。従って、末端開口１７２の揺動運動が緯糸捕捉通路１９内の通路抵抗の増大をもたらすことはない。
（１-3）緯糸捕捉通路１９の屈曲部１７３から下流側に向かうにつれて横断面積が徐々に増大する。緯糸捕捉通路１９の横断面積が徐々に増大する形状は、通路抵抗の低減のうえで好適である。
（１-4）屈曲部１７３は通路抵抗の増大をもたらすが、屈曲部１７３より下流における緯糸捕捉通路１９の横断面積増大が前記通路抵抗を低減する。図３に示すように、緯糸Ｙは屈曲部１７３で屈曲し、屈曲部１７３は緯糸張力付与時の付与張力を高める。
（１-5）緯糸捕捉通路１９は緯糸捕捉パイプ１７によって形成されている。パイプは、通路の横断面積、通路長さ、通路形状等の設定に好適である。即ち、、緯糸捕捉パイプ１７は緯糸捕捉通路１９の形成に最適である。
【００２４】
次に、図４の第２の実施の形態を説明する。第１の実施の形態と同じ構成部には同じ符号が付してある。
この実施の形態では、緯糸捕捉パイプ２０の屈曲部２０１から下流側の緯糸捕捉通路１９が徐々に拡径している。又、屈曲部２０１よりも下流側における緯糸捕捉通路１９の通路中心１９１と、屈曲部２０１よりも上流側における緯糸捕捉通路１９の通路中心１９２とは、鋭角に交差している。
【００２５】
屈曲部２０１よりも下流側における緯糸捕捉通路１９と上流側における緯糸捕捉通路１９とが鋭角に交差する形状は、緯糸張力付与時の付与張力を高める上で好適である。
【００２６】
次に、図５の第３の実施の形態を説明する。第１の実施の形態と同じ構成部には同じ符号が付してある。
この実施の形態では、緯糸捕捉パイプ２１と緯糸捕捉パイプ２２とを繋いで緯糸捕捉通路１９が形成されており、緯糸捕捉パイプ２２の内径及び緯糸捕捉パイプ２１の内径はどの部位でも同一である。緯糸捕捉パイプ２２の内径が緯糸捕捉パイプ２１の内径よりも大きく、緯糸捕捉パイプ２１が緯糸捕捉パイプ２２内に嵌入して止着されている。
【００２７】
緯糸捕捉通路１９の横断面積は緯糸捕捉パイプ２１，２２の接続部で増大し、第１の実施の形態における（１-1）項と同じ効果が得られる。
次に、図６の第４の実施の形態を説明する。第２の実施の形態と同じ構成部には同じ符号が付してある。
【００２８】
この実施の形態では、３つの緯糸捕捉パイプ２１，２２，２３を繋いで緯糸捕捉通路１９が形成されている。この実施の形態においても第１の実施の形態における（１-1）項と同じ効果が得られる。
【００２９】
次に、図７の第５の実施の形態を説明する。第３の実施の形態と同じ構成部には同じ符号が付してある。
この実施の形態では、緯糸捕捉パイプ２１，２２がスライド可能に嵌合連結されている。緯糸捕捉パイプ２２にはナット２４が止着されており、ナット２４に螺着されたねじ２５が緯糸捕捉パイプ２１の外周面に当接している。ねじ２５を締め付ければ緯糸捕捉パイプ２１，２２の接続が固定する。ねじ２５の締め付けを緩めれば、緯糸捕捉パイプ２１，２２の嵌合連結位置を変更することができる。
【００３０】
緯糸捕捉パイプ２１，２２のスライド可能な嵌合連結構造、ナット２４及びねじ２５は、緯糸捕捉パイプ２１，２２の嵌合連結位置を変更する嵌合連結位置変更手段を構成する。嵌合連結位置の変更は緯糸捕捉通路１９の長さの変更をもたらす。緯糸捕捉通路１９の長さの変更は、緯糸種類、緯入れ用エアの噴射圧等に応じた適正な張力付与設定を可能にする。
【００３１】
図８の第６の実施の形態では、緯糸捕捉パイプ２２の末端側の横断面積が徐々に増大するようにしてある。
次に、図９の第７の実施の形態を説明する。第１の実施の形態と同じ構成部には同じ符号が付してある。
【００３２】
この実施の形態では、上流側の緯糸捕捉パイプ２６に対する下流側の緯糸捕捉パイプ２７の取り付け向きを変更可能に緯糸捕捉パイプ２６，２７が嵌合連結されている。緯糸捕捉パイプ２６の末端部には外球面部２６１が形成されており、緯糸捕捉パイプ２７の基端部には内球面部２７１が形成されている。緯糸捕捉パイプ２７の内球面部２７１が緯糸捕捉パイプ２６の内球面部２６１に摺動可能に嵌合している。緯糸捕捉パイプ２７は、ナット２４に対するねじ２５のねじ込みによって緯糸捕捉パイプ２６に固定される。緯糸捕捉パイプ２６の内径はどの部位でも同じであるが、緯糸捕捉パイプ２７の内径は下流側ほど増大している。緯糸捕捉パイプ２６，２７によって形成される緯糸捕捉通路１９の横断面積は、緯糸捕捉パイプ２６，２７の接続部より下流で徐々に増大している。
【００３３】
外球面部２６１、内球面部２７１、ナット２４及びねじ２５は、緯糸捕捉パイプ２６に対する緯糸捕捉パイプ２７の取り付け向きを変更する取り付け向き変更手段を構成する。取り付け向きの変更は緯糸捕捉通路１９の通路形状の変更をもたらす。緯糸捕捉通路１９の通路形状の変更は、緯糸種類、緯入れ用エアの噴射圧等に応じた適正な張力付与設定を可能にする。
【００３４】
図１０の第８の実施の形態では、外球面部２６１が緯糸捕捉パイプ２６の屈曲部にあり、内球面部２８１が緯糸捕捉パイプ２８の屈曲部にある。従って、緯糸捕捉通路１９の屈曲部における屈曲割合が変更できる。屈曲部における屈曲割合は緯糸に対する付与張力に影響を与える。
【００３５】
【発明の効果】
以上詳述したように本発明では、緯糸を緯入れするための緯糸案内通路から緯糸捕捉通路の導入口へストレッチノズルのエア噴射により緯糸の先端部を導入してエア流により捕捉し、前記緯糸案内通路に対して前記緯糸捕捉通路を不動配置したジェットルームにおける緯糸張力付与装置において、前記緯糸捕捉通路の横断面の面積を少なくとも２つの大きさにし、小さい面積の横断面より前記緯糸捕捉通路の緯糸の先端部が導入される導入口よりも下流側に大きい面積の横断面を配置し、前記緯糸捕捉通路の末端を開放し、前記緯糸捕捉通路は途中で屈曲しており、前記導入口から屈曲部分までの横断面を前記小さい面積の横断面とすると共に、この屈曲部分よりも下流側に前記小さい面積の横断面及び大きい面積の横断面を配置したので、緯糸の先端部を緯糸捕捉通路内へ確実に導入して緯糸に対する効果的な張力付与作用をもたらし得るという優れた効果を奏する。
【図面の簡単な説明】
【図１】第１の実施の形態を示す斜視図。
【図２】要部側断面図。
【図３】要部正断面図。
【図４】第２の実施の形態を示す要部正断面図。
【図５】第３の実施の形態を示す要部正断面図。
【図６】第４の実施の形態を示す要部正断面図。
【図７】第５の実施の形態を示す要部正断面図。
【図８】第６の実施の形態を示す要部正断面図。
【図９】第７の実施の形態を示す要部正断面図。
【図１０】第８の実施の形態を示す要部正断面図。
【符号の説明】
１７，２１，２２，２３，２６，２７，２８…緯糸捕捉パイプ、１７２…開放末端となる末端開口、１７３，２０１…屈曲部、１９…緯糸捕捉通路、１９１，１９２…通路中心、２４…嵌合連結位置変更手段及び取り付け向き変更手段を構成するナット、２５…嵌合連結位置変更手段及び取り付け向き変更手段を構成するねじ、２６１…取り付け向き変更手段を構成する外球面部、２７１…取り付け向き変更手段を構成する内球面部、Ｙ…緯糸。
【図１】
0004057086.tif 000002
【図２】
0004057086.tif 000003
【図３】
0004057086.tif 000004
【図４】
0004057086.tif 000005
【図５】
0004057086.tif 000006
【図６】
0004057086.tif 000007
【図７】
0004057086.tif 000008
【図８】
0004057086.tif 000009
【図９】
0004057086.tif 000010
【図１０】
0004057086.tif 000011